(57)【特許請求の範囲】
【請求項１】
ＩＣカードの挿入口に対してＩＣカードを斜めに挿入し、ＩＣカードの１コーナー部を外部に突出させた状態で、ＩＣカードと通信を行うＩＣカード用リーダライタであって、少なくとも、カードの挿入に際してカード辺に接する挿入ガイドと、ＩＣカード用リーダライタの端子ピンとＩＣカードの端子部とが接触して通信を行う際の所定位置へＩＣカードを位置決めをする前記ＩＣカードの１コーナー部の対角方向のコーナー部を挾む２辺を支持するストッパーと、前記ＩＣカードの１コーナー部を挾む２辺を固定するためのロック機構とを設けていることを特徴とするＩＣカード用リーダライタ。
【請求項２】
請求項１記載のロック機構がスライド式であることを特徴とするＩＣカード用リーダライタ。
【発明の詳細な説明】
【０００１】
【産業上の利用分野】
本発明は，ＩＣチップやＣＯＢ等のＩＣモジュールをプラスチック基材に埋めこんだＩＣカードに、データを書き込みまたは読み出しするＩＣカード用Ｒ／Ｗ（リーダライタ）装置に関する。
【０００２】
【従来の技術】
ＩＣカードは新しい情報記録媒体として、特に磁気カードに代わる情報記録媒体として注目を集めており次第に普及しつつある。特に、ＣＰＵを内蔵したＩＣカードは、高度なセキュリテイーを有するため、種々の分野での利用が期待されている。
【０００３】
ＩＣカードは、従来は、図４に示すように、基板４０１の一方の面に、銅箔層４０６部分に、下地メッキとしてのＮｉメッキ層４０７を介して金メッキ層４０８を施した、ＣＬＫ（クロック）ライン、Ｉ／Ｏライン、Ｖcc（電源）ライン、ＲＳＴ（リセット）ライン、ＧＮＤ（グランド）ライン用の端子部４０２を持ち、前記各端子部４０２と基板４０１の他方の面に搭載されたＩＣチップ（半導体素子）４０３の端子とをワイヤ４０４を介して電気的に接続し、ＩＣチップ（半導体素子）側を樹脂４０５にて封止した、いわゆるＣＯＢ（Ｃｈｉｐ  ｏｎ  Ｂｏａｒｄ）の形態をとったＩＣモジュールを、プラスチック製のカード基材に埋め込むことによりＩＣカードを構成している。そして、図２に示すように、Ｒ／Ｗ（リーダライタ）のコンタクト部とＩＣカードの端子部とを接触させ電気的に接続し、この電気的に接続されたＩ／Ｏラインを通じて情報（データ）の読み出し、書き込みが行われていた。
尚、図４において、基板４０１の表裏の銅箔部の電気的な導通はスルホール４０９を介してなされている。
【０００４】
ＩＣカード用リーダライタは、上記ＩＣカードの端子部４０２にコンタクトピンを接触させ、Ｖcc（電源）、ＣＬＫ（クロック）、ＲＳＴ（リセット）信号を供給し、Ｉ／Ｏラインを通じてＩＣカードの内部メモリへアクセスし、情報（データ）の書き込みまたは読み出し処理を行う装置である。
このＩＣカードに情報（データ）を書き込みまたは読み出し処理を行う装置であるＩＣカード用リーダライタは、磁気カード用リーダライタの技術基盤の延長上にあり、オートローデイング、オートインジエクションなどモータを用いてＩＣカードをゴムローラなどで搬送していた。
国内で、普及している第一のＩＣカード用リーダライタは図２（ａ）に示すように、磁気カード用リーダライタの延長上の技術のためモータドライブなどの駆動系、搬送系に複雑かつ精巧な部品が必要なためたいへん高価なユニットで構成され価格の面で問題があった。
【０００５】
別に、この第一のＩＣカード用リーダライタの場合、カード全体挿入のため装置自体のスペースがかなり大きくなるので入退室管理チエックのゲートに組み込む使用に際しては壁の厚さなどの制約ができてしまうという問題もあった。
これに対し、欧州に普及している第二のＩＣカード用リーダライタは、図２（ｂ）に示すように、半挿入式のもので大変安価であるが、その反面、取引データ書き込み途中で利用者の強制引き抜き（ティアリング）により、利用者とサービス提供者の取引き整合がとれなくなるなど問題があった。
【０００６】
【発明が解決しようとする課題】
上記のように、従来のＩＣカードリーダライタにおいては、より安価なもので、薄い壁にも組み込め、且つ、取引データ書き込み途中で利用者の強制引き抜き（ティアリング）等に対応できるものが求められていた。
本発明は、このような状況のもと、上記従来の第一のＩＣカード用リーダライタよりも安価なもので薄い壁にも組み込め、且つ、上記従来の第二のＩＣカード用リーダライタと異なり、取引データ書き込み途中で利用者の強制引き抜き（ティアリング）等に対応できるＩＣカード用リーダライタを提供しようとするものである。
【０００７】
【課題を解決するための手段】
本発明のＩＣカード用リーダライタは、ＩＣカードの挿入口に対してＩＣカードを斜めに挿入し、ＩＣカードの１コーナー部を外部に突出させた状態で、ＩＣカードと通信を行うＩＣカード用リーダライタであって、少なくとも、カードの挿入に際してカード辺に接する挿入ガイドと、ＩＣカード用リーダライタの端子ピンとＩＣカードの端子部とが接触して通信を行う際の所定位置へＩＣカードを位置決めをする前記ＩＣカードの１コーナー部の対角方向のコーナー部を挾む２辺を支持するストッパーと、前記ＩＣカードの１コーナー部を挾む２辺を固定するためのロック機構とを設けていることを特徴とするものである。
そして、上記のロック機構がスライド式であることを特徴とするものである。
【０００８】
【作用】
本発明のＩＣカード用リーダライタは、上記のような構成にすることにより、簡単で安価な構造で、且つ、ＩＣカード用リーダライタの厚みを薄くすることができ、薄い壁にも組み込めるものとしており、且つ、取引データ書き込み途中で利用者の強制引き抜き（ティアリング）ができなくしている。
具体的には、ＩＣカードの挿入口に対してＩＣカードを傾斜させて挿入し、且つ、ＩＣカードの１コーナー部をカードの外部に突出させた状態で、ＩＣカードと通信を行うことにより、装置全体を薄くできるものとしている。
また、カードの挿入に際し、カード辺に接する挿入ガイドと、ＩＣカード用リーダライタの端子ピンとＩＣカードの端子部とが接触して通信を行う際の所定位置へＩＣカードを位置決めをする、前述のＩＣカードの１コーナー部の対角方向のコーナー部を挾む２辺を支持するストッパーと、前述のＩＣカードの１コーナー部を挾む２辺を固定するためロック機構とを設けていることにより、手差しによる挿入ができる簡単な構造としており、且つ、カードを所定位置でロックし、強制的な取り外しをできなくすることができるものとしている。
【０００９】
【実施例】
本発明のＩＣカード用Ｒ／Ｗ（リーダライタ）の実施例を挙げ、図面にそって説明する。
図１（ａ）は本発明の実施例ＩＣカードＲ／Ｗ（リーダライタ）の外観を示す概略図で、図１（ａ）はカード挿入前、図１（ｂ）はカード挿入途中、図１（ｃ）はカード挿入済みの状態を示した図である。
図１中、１００はＩＣカード用Ｒ／Ｗ（リーダライタ）、１１０Ａ、１１０Ｂはガイド兼ストッパー、１２０Ａ、１２０Ｂはロック機構、１４０はＩＣカード挿入口、２００はＩＣカードである。
本実施例ＩＣカード用Ｒ／Ｗ（リーダライタ）においては、図１（ａ）に示すように、ロック機構１２０Ａ、１２０Ｂが開いた状態でＩＣカード２００をＩＣカードの挿入口に対し斜めの状態でＩＣカード用Ｒ／Ｗ（リーダライタ）側に手さしによりガイド兼ストッパー１１０Ａないし１１０Ｂに沿うようにして挿入する。
ＩＣカード２００がガイド兼ストッパー１１０Ａ、１１０Ｂの両方に当たり、挿入されるＩＣカード２００の先端のコーナー部（図１では２１０Ａ）が、ガイド兼ストッパー１１０Ａ、１１０Ｂの交差する箇所まで挿入されると、ロック機構１２０Ａ、１２０Ｂはスライド移動し、ＩＣカード２００の外部へ突出しているコーナー部２１０を挾む２辺を固定する。
この状態で、ＩＣカード２００とＩＣカード用Ｒ／Ｗ（リーダライタ）１００とが、図２に示すように、ＩＣカード用Ｒ／Ｗ（リーダライタ）１００の端子ピン１００Ａとカードの端子部２００Ａとを接触させることにより、データのやりとり（取引）を行う。このようにして、データのやりとりをしている間（取り引き中）は強制的にＩＣカード２００の取り出しができないようになっている。
【００１０】
図２に示す、ＩＣカード用Ｒ／Ｗ（リーダライタ）１００の端子ピン１００ＡとＩＣカードの端子部２００Ａとを接触させる際、位置ズレが生じないように、ストッパー１１０Ａ、１１０Ｂを設けている。
ロック機構１２０Ａ、１２０Ｂのスライド移動の制御は光学的位置センサを用い、所定の位置までＩＣカード２００が挿入されたことを確認しスライド移動されロックされる。
ロック後、ＩＣカード用Ｒ／Ｗ（リーダライタ）１００とＩＣカード２００がデータのやりとりを終了した後、ロック機構１２０Ａ、１２０Ｂはもとの位置にスライド移動し、ロックは解除される。
ここでは、光学的位置センサを用いたが、機械的位置センサを用いても良い。又、ここではロック機構１２０Ａを、スライド式としているが、回転式、挾みつけ固定によるものでも良い。
また、図２に示す、ＩＣカード用Ｒ／Ｗ（リーダライタ）１００の端子ピン１００Ａとカードの端子部２００Ａとの接触は、端子ピン１００Ａにスプリングや空気圧などをかけ、適度な接触圧が保たれる。
【００１１】
本実施例においては、ＩＣカード２００をＩＣカード用Ｒ／Ｗ（リーダライタ）に、手ざしで挿入するものであり、従来の図３（ａ）に示すもののように、モータドライブ等の駆動系・搬送系に複雑な部品を必要としない。また、ロック機構１２０Ａ、１２０Ｂが設けられている為、従来の図３（ｂ）に示す場合に見られる、取引データ書き込み途中での利用者の強制引き抜き（ティアリング）の問題も解決している。
また、本実施例においては、ＩＣカード２００の対角線までの約半分をＩＣカード用Ｒ／Ｗ（リーダライタ）に、挿入するものであり、従来の図３（ａ）に示すものに比べ、Ｒ／Ｗ（リーダライタ）自体の厚みを薄く、即ち奥行きを薄くすることができる。
【００１２】
【発明の効果】
本発明は、上記のように、簡単で安価な構造のもので、薄い壁にも組み込めるような厚さが薄く、且つ、取引データ書き込み途中に利用者が強制引き抜き（ティアリング）できないようにしたＩＣカード用Ｒ／Ｗ（リーダライタ）の提供を可能としている。
【図面の簡単な説明】
【図１】実施例ＩＣカード用Ｒ／Ｗ（リーダライタ）の概略図
【図２】ＩＣカードの端子部とＩＣカード用Ｒ／Ｗ（リーダライタ）の端子ピンとの接触部を説明するための図
【図３】従来のＩＣカード用Ｒ／Ｗ（リーダライタ）の概略図
【図４】従来のＩＣカード用のＩＣモジュールの概略図
【符号の説明】
１００                  ＩＣカード用Ｒ／Ｗ（リーダライタ）
１００                  ＩＣカード用Ｒ／Ｗ（リーダライタ）の端子ピン
１１０Ａ、１１０Ｂ      ガイド兼ストッパー
１２０Ａ、１２０Ｂ      ロック機構
２００                  ＩＣカード
２１０                  外部へ突出しているコーナー部
２１０Ａ                コーナー部
４０１                  ＩＣ基板
４０２                  端子部
４０３                  ＩＣチップ（半導体素子）
４０４                  ワイヤ
４０５                  樹脂
４０６                  銅箔層
４０７                  Ｎｉメッキ層
４０８                  金メッキ層
４０９                  スルーホール
【図１】
0003542837.tif 000002
【図２】
0003542837.tif 000003
【図３】
0003542837.tif 000004
【図４】
0003542837.tif 000005